(57)【要約】【課題】外部装置から入力される映像を表示する際の視認性の低下を安全に解消する。【解決手段】車両に搭載される車載表示装置であって、映像を外部の映像出力装置から入力する映像入力部と、前記映像を所定の画面に表示させる表示制御部と、前記映像に含まれる左右の領域に一定以下の低輝度映像が存在するか否かを判定する映像判定部と、を備え、前記表示制御部は、前記低輝度映像が存在すると判定された場合に、前記映像に含まれる前記左右の領域以外の中央の領域における主映像の一部を拡大した拡大映像を前記画面に表示させる。【選択図】図５
2015114576.tif 000002
【特許請求の範囲】
【請求項１】
車両に搭載される車載表示装置であって、
映像を外部の映像出力装置から入力する映像入力部と、
前記映像を所定の画面に表示させる表示制御部と、
前記映像に含まれる左右の領域に一定以下の低輝度映像が存在するか否かを判定する映像判定部と、を備え、
前記表示制御部は、前記低輝度映像が存在すると判定された場合に、前記映像に含まれる前記左右の領域以外の中央の領域における主映像の一部を拡大した拡大映像を前記画面に表示させる、ことを特徴とする車載表示装置。
【請求項２】
前記表示制御部は、前記拡大映像と、前記主映像の全体とを同時に前記画面に表示させることを特徴とする請求項１に記載の車載表示装置。
【請求項３】
前記主映像の一部とは、少なくとも前記主映像の中心を含む範囲であることを特徴とする請求項１または請求項２に記載の車載表示装置。
【請求項４】
前記表示制御部は、前記低輝度映像が存在すると判定されると、前記拡大映像の表示を行うか否かを外部に問い合わせ、当該問い合わせに対して前記拡大映像の表示の指示を受けた場合に、前記拡大映像を前記画面に表示させることを特徴とする請求項１〜請求項３のいずれかに記載の車載表示装置。
【請求項５】
前記車両における同乗者の有無を示す同乗者信号を入力する信号入力部を有し、
前記表示制御部は、前記低輝度映像が存在すると判定されると、前記同乗者信号が同乗者無しを示す場合に、前記拡大映像を前記画面に表示させることを特徴とする請求項１〜請求項４のいずれかに記載の車載表示装置。
【請求項６】
前記表示制御部は、前記拡大映像を前記画面に表示させている状態で、前記映像出力装置から入力される映像の所定時間あたりの変化度合いが所定のしきい値以上となった場合に、前記拡大映像の表示を止めて前記主映像の全体を前記画面に表示させることを特徴とする請求項１〜請求項５のいずれかに記載の車載表示装置。
【請求項７】
前記所定時間あたりの変化度合いとは、所定時間あたりの輝度変化が所定値以上である画素の数であることを特徴とする請求項６に記載の車載表示装置。
【請求項８】
前記表示制御部は、前記拡大映像を前記画面に表示させている状態で、前記映像出力装置から入力される映像の所定時間あたりの変化度合いが所定のしきい値以上となり、かつ前記映像出力装置から特定の音声入力があった場合に、前記拡大映像の表示を止めて前記主映像の全体を前記画面に表示させることを特徴とする請求項６または請求項７に記載の車載表示装置。
【請求項９】
前記表示制御部は、前記拡大映像の表示を止めて前記主映像の全体を前記画面に表示させている状態で、前記映像出力装置から入力される映像の所定時間あたりの変化度合いが所定のしきい値以上となった場合に、前記拡大映像を前記画面に表示させることを特徴とする請求項６〜請求項８のいずれかに記載の車載表示装置。
【発明の詳細な説明】
【技術分野】
【０００１】
本発明は、車載表示装置に関する。
【背景技術】
【０００２】
車両に搭載され映像や音声を出力可能な車載表示装置が知られている。車載表示装置は、カーナビゲーションシステムに対応している製品や非対応の製品の他、テレビ放送受信機能や録画録音機能等を併せ持つ場合がある。
また、画面の分割表示を検出し、分割画面の縦横比を検出して、分割画面の縦横比により、縦が長い時に外部携帯機器に縦長の画像を要求し、或いは横長画像を縦長画像に変換し、それ以外では横長の画像を要求し、要求した画像、変換した画像を分割画面に当てはめる分割画面表示方法が知られている（特許文献１参照）。
【０００３】
車載表示装置は、映像を出力可能な外部装置（上述の外部携帯機器など）と接続し、当該外部装置から入力された映像を自機の画面に表示することも可能である。昨今、いわゆるスマートフォン等の携帯機器は、地図情報や現在位置情報等を含むカーナビゲーション用の映像（ナビゲーション映像）を表示する機能をアプリケーションソフトとして有することがある。そのため、車載表示装置はカーナビゲーションシステムの機能を有さない場合でも、ナビゲーション映像の送信を当該携帯機器から受けることにより、ナビゲーション映像を表示することができる。 
【先行技術文献】
【特許文献】
【０００４】
【特許文献１】特開２０１３‐１０４９３０号公報
【発明の概要】
【発明が解決しようとする課題】
【０００５】
スマートフォン等の携帯機器は、当該機器の向きに応じて表示映像の向きを変更する。つまり、当該携帯機器が縦向きであれば縦長の映像を表示し、当該携帯機器が横向きであれば横長の映像を表示する。一方、車載表示装置の画面は横長であることが多い。そのため、ユーザーは、スマートフォン等の携帯機器が表示する映像を車載表示装置に表示させる場合には、車載表示装置と接続した当該携帯機器を、表示映像が横長となる状態で置く。この結果、横長の映像が当該携帯機器から車載表示装置へ入力される。
【０００６】
しかしながら、車両の走行中の揺れ等に起因して携帯機器が動いて、当該携帯機器が自機の向きを縦向きと検出すると、当該検出に連動して当該携帯機器が表示、出力する映像は縦長の映像となる。この場合、当該携帯機器と接続する車載表示装置が表示する映像も縦向きの映像となってしまい、車載表示装置の画面内における当該映像の視認性が低下する虞がある。また、このような視認性低下を解消するためにユーザー（車両のドライバー）が当該携帯機器の向きを直そうとする行為は、車両の走行中においては非常に危険である。なお前記文献は、このような外部装置から送られる映像が縦向きであることによる視認性の低下への対策を行うものではない。
【０００７】
本発明は前記課題の少なくとも一つを解決するためになされたものであり、外部装置から入力される映像を表示する際の視認性の低下を安全に解消することが可能な車載表示装置を提供する。
【課題を解決するための手段】
【０００８】
本発明の態様の一つは、車両に搭載される車載表示装置であって、映像を外部の映像出力装置から入力する映像入力部と、前記映像を所定の画面に表示させる表示制御部と、
前記映像に含まれる左右の領域に一定以下の低輝度映像が存在するか否かを判定する映像判定部と、を備え、前記表示制御部は、前記低輝度映像が存在すると判定された場合に、前記映像に含まれる前記左右の領域以外の中央の領域における主映像の一部を拡大した拡大映像を前記画面に表示させる。
【０００９】
当該構成によれば、車載表示装置は、外部の映像出力装置から入力する映像が左右の領域に一定以下の低輝度映像を含むもの、つまり実体としては縦向きの映像（主映像が縦長の映像）である場合、主映像の一部を拡大した拡大映像を画面に表示させる。そのため、ユーザーは、車載表示装置の画面サイズを十分活用した大きな主映像（の一部）を見ることができ、映像出力装置から入力する映像に対する視認性が向上する。またこれにより、ユーザー（車両のドライバー）は、主映像が縦向きである状態を解消するために車両の走行中に映像出力装置の向きを直す必要が無く、ユーザーの安全が守られる。
【００１０】
本発明の態様の一つは、前記表示制御部は、前記拡大映像と、前記主映像の全体とを同時に前記画面に表示させるとしてもよい。
当該構成によれば、ユーザーは、前記拡大映像と、前記主映像の全体とを車載表示装置の画面で見ることができるため、前記主映像の内容を十分に認識することができる。
【００１１】
本発明の態様の一つは、前記主映像の一部とは、少なくとも前記主映像の中心を含む範囲であるとしてもよい。
当該構成によれば、ユーザーは、前記主映像の特に重要な箇所を含む可能性が高い範囲の映像を見ることができる。
【００１２】
本発明の態様の一つは、前記表示制御部は、前記低輝度映像が存在すると判定されると、前記拡大映像の表示を行うか否かを外部に問い合わせ、当該問い合わせに対して前記拡大映像の表示の指示を受けた場合に、前記拡大映像を前記画面に表示させるとしてもよい。
当該構成によれば、ユーザーが前記拡大映像の表示を望んだ場合に、前記拡大映像を画面に表示することができる。
【００１３】
車両内に同乗者が居れば、同乗者が映像出力装置の向きを直して、主映像が縦向きである状態を解消することができる。そこで本発明の態様の一つは、車載表示装置は、前記車両における同乗者の有無を示す同乗者信号を入力する信号入力部を有し、前記表示制御部は、前記低輝度映像が存在すると判定されると、前記同乗者信号が同乗者無しを示す場合に、前記拡大映像を前記画面に表示させるとしてもよい。
当該構成によれば、主映像が縦向きである状態を解消できる同乗者が居ないことを条件として、前記拡大映像を画面に表示する。
【００１４】
本発明の態様の一つは、前記表示制御部は、前記拡大映像を前記画面に表示させている状態で、前記映像出力装置から入力される映像の所定時間あたりの変化度合いが所定のしきい値以上となった場合に、前記拡大映像の表示を止めて前記主映像の全体を前記画面に表示させるとしてもよい。前記所定時間あたりの変化度合いとは、例えば、所定時間あたりの輝度変化が所定値以上である画素の数である。
当該構成によれば、映像出力装置から入力される主映像が２画面表示になる等、大きく変化した場合に、主映像の一部の拡大表示ではなくその全体が表示され、ユーザーが得るべき情報を確実に提示することができ、利便性が向上する。なお、前記表示制御部は、映像出力装置から入力される映像の所定時間あたりの変化度合いが所定のしきい値以上となったことに加え、映像出力装置から特定の音声入力があった場合に、前記拡大映像の表示を止めて、前記主映像の全体を前記画面に表示させるとしてもよい。
【００１５】
本発明の態様の一つは、前記表示制御部は、前記拡大映像の表示を止めて前記主映像の全体を前記画面に表示させている状態で、前記映像出力装置から入力される映像の所定時間あたりの変化度合いが所定のしきい値以上となった場合に、前記拡大映像を前記画面に表示させるとしてもよい。
当該構成によれば、映像出力装置から入力される主映像が２画面表示から再び１画面表示に戻る等、大きく変化した場合に、再び車載表示装置の画面サイズを十分活用した大きな主映像（の一部）を見ることができる。
【００１６】
本発明の技術的思想は、上述した車載表示装置以外の態様によって実現されてもよい。例えば、車載表示装置が実行する処理を方法の発明として捉えたり、当該処理を車載表示装置に実行させるためのプログラムや、当該プログラムを記録したコンピューター読取可能な記録媒体を、それぞれ発明として捉えたりすることができる。
【図面の簡単な説明】
【００１７】
【図１】車載表示装置等の構成を示すブロック図である。
【図２】表示制御処理を示すフローチャートである。
【図３】外部装置が出力する映像と車載表示装置が表示する映像との関係を例示する図である。
【図４】選択入力画面が表示部に表示された例を示す図である。
【図５】拡大映像と主映像の全体とが表示部に表示された例を示す図である。
【図６】第二の実施形態にかかる表示制御処理を示すフローチャートである。
【図７】第三の実施形態にかかる表示制御処理を示すフローチャートである。
【図８】第三の実施形態における表示部での表示態様の切替わりを例示する図である。
【図９】第三の実施形態を実施しなかった場合の表示部での表示態様を例示する図である。
【発明を実施するための形態】
【００１８】
本発明の実施形態を、以下の順序に従って説明する。
１．第一の実施形態
２．第二の実施形態
３．第三の実施形態
【００１９】
１．第一の実施形態
図１は、本実施形態にかかる車載表示装置２０等の構成をブロック図により示している。車載表示装置２０は、車両内の所定位置（運転席に座ったユーザーが手で操作可能な範囲における所定位置）に固定される。車載表示装置２０は、ユーザーによって車両内に持ち込まれた外部装置１０と接続している。外部装置１０は、映像（および音声）を出力可能な映像出力装置であり、具体的には、スマートフォン、タブレット型端末、ラップトップ型ＰＣ（パーソナルコンピューター）等の携帯型端末である。
【００２０】
本実施形態では、外部装置１０は、ある映像を自機において表示し、かつ、ミラーリングにより当該映像を車載表示装置２０へ出力して表示させる。外部装置１０が表示し、出力する映像としては、地図情報や現在位置情報等を含むカーナビゲーション用の映像（ナビゲーション映像）が考えられるが、ナビゲーション映像以外の、例えば、映画、テレビ番組、インターネットを介してアクセス可能なサイトにて公開される動画等、あらゆる映像が該当し得る。外部装置１０と車載表示装置２０との接続は、例えば、ＨＤＭＩ（High-Definition Multimedia Interface）ケーブル、コンポジットあるいはＳビデオなどのアナログ信号に対応したアナログケーブル、といった有線による接続であってもよいし、無線接続であってもよい。
【００２１】
外部装置１０が出力した映像信号は車載表示装置２０の映像入力部２１に入力され、外部装置１０が出力した音声信号は車載表示装置２０の音声入力部２２に入力される。映像入力部２１に入力された映像信号は、制御部２３によって縦横比（アスペクト比）の変換等の所定の信号処理がなされた上で、表示部２４に出力される。表示部２４は、例えば、液晶ディスプレー、プラズマディスプレー、有機ＥＬディスプレー等であり、映像信号に基づく映像を画面に表示する。音声入力部２２に入力された音声信号は、制御部２３によって増幅等の所定の信号処理がなされた上で、音声出力部（スピーカー）２５に出力される。音声出力部２５は、音声信号に基づく音声を出力する。
【００２２】
車載表示装置２０は、さらに操作部２６、記憶部２７、通信部２８等を含む。操作部２６は、ユーザーによる操作を受け付けるためのインターフェイスであり、ボタン、キー、タッチパネル等の機構を含み得る。記憶部２７は、ハードディスクドライブ（ＨＤＤ）や半導体メモリー等で構成される。通信部２８は、車両内に配設された複数のＥＣＵ（Electronic Control Unit）３０，３０，３０…と通信する。通信部２８がＥＣＵ３０，３０，３０…との間で採用する通信方式は、例えば、いわゆるコントローラエリアネットワーク（ＣＡＮ）通信である。
【００２３】
図２は、本実施形態において車載表示装置２０（特に制御部２３）が所定のプログラムに従って実行する表示制御処理をフローチャートにより示している。
ステップＳ１００では、映像入力部２１による映像入力を開始する。つまり、車載表示装置２０に接続された外部装置１０は、ある映像を自機において表示し、かつ、当該映像を車載表示装置２０へ出力する。
【００２４】
図３は、外部装置１０が出力する映像と、車載表示装置２０が表示する映像との関係を例示している。図３Ａおよび図３Ｂに示すように、外部装置１０の画面には、現在のナビゲーション映像が表示されている。外部装置１０は、自機が横向き（長手方向を水平方向に向けている状態）であると検知した場合は、図３Ａに示すように、自機で表示する映像の向きも横向き（横長）とする。同様に、外部装置１０は、自機が縦向き（長手方向を垂直方向に向けている状態）であると検知した場合は、図３Ｂに示すように、自機で表示する映像の向きも縦向き（縦長）とする。外部装置１０は、横向きを検知している状況では、自機で表示している横長の映像をそのまま車載表示装置２０へ出力する。車載表示装置２０は、外部装置１０から入力した映像についてアスペクト比を横長な表示部２４のアスペクト比に整合させつつ表示部２４に表示する。
【００２５】
一方、縦向きを検知している状況では、外部装置１０は、自機で表示している縦長の映像（ナビゲーション映像）をそのまま車載表示装置２０へ出力するのではなく、当該縦長の映像（ナビゲーション映像）ＶＭの左右に黒色の一定濃度の映像ＶＬ，ＶＲを付加した全体として横長の映像Ｖを生成し、当該生成した横長の映像Ｖを出力する。そして、車載表示装置２０では、外部装置１０から入力した当該横長の映像Ｖについてアスペクト比を表示部２４のアスペクト比に整合させつつ表示部２４に表示する。なお、映像ＶＬ，ＶＲの色を黒色と呼んだが、ここでいう黒色とは、一意の色ではなく、黒および黒に近い濃いグレーなど、比較的輝度が低い色を含む意味である。この意味で、映像ＶＬ，ＶＲは、一定以下の「低輝度映像」と呼ぶことができる。また、映像Ｖにおける映像ＶＬ，ＶＲ以外の映像、つまりナビゲーション映像としての映像ＶＭは、特許請求の範囲における「主映像」に該当する。
【００２６】
図３Ｂに示したように、主映像に映像ＶＬ，ＶＲを付加して全体として横長の映像Ｖを生成する処理は、外部装置１０側の処理であり、車載表示装置２０がコントロールできるものではない。そのため、車載表示装置２０は従来、このような映像ＶＬ，ＶＲを含む映像Ｖを外部装置１０から受信した場合は、それをそのまま表示していた。しかしながら、映像ＶＬ，ＶＲを含む映像Ｖを車載表示装置２０が表示することは、表示部２４の画面サイズを十分活かしているとは言えず、表示部２４の画面サイズに対して主映像のサイズが小さいためユーザーにとって視認性が低かった。本実施形態は、このような視認性の低さを解消するために当該フローチャートで説明する処理を実行する。
【００２７】
制御部２３は、ステップＳ１１０では、外部装置１０から入力した映像を解析し、ステップＳ１２０では、当該映像に含まれる左右の領域に一定以下の低輝度映像が存在するか否かを判定する。制御部２３は、ステップＳ１１０，Ｓ１２０を実行する点で、映像判定部として機能すると言える。制御部２３は、映像入力部２１を介して外部装置１０から入力した映像を一旦、記憶部２７に書き込み、当該書き込んだ映像を順次表示部２４へ出力する。制御部２３は、当該書き込んだ映像を利用してステップＳ１１０の解析や後述のステップＳ１５０，Ｓ１６０等を行う。例えば、制御部２３は、ステップＳ１１０では、１フレーム分の映像について、横方向（フレームの長手方向）に沿って走査し、画素位置毎の輝度（例えば、ＹＣｂＣｒ表色系における輝度成分Ｙ）を取得する。そして、当該走査範囲の両端側それぞれにおいて、輝度に関する所定のしきい値以下の輝度を連続して有する範囲を検出できた場合、制御部２３は、外部装置１０から入力した映像に含まれる左右の領域に一定以下の低輝度映像（図３Ｂに例示したような映像ＶＬ，ＶＲ）が存在すると判定する（ステップＳ１２０において“Ｙｅｓ”からステップＳ１３０へ進む）。
【００２８】
ステップＳ１１０，Ｓ１２０は、入力される映像（フレーム）に対して繰り返し行う。また、ステップＳ１２０において“Ｎｏ”の判定が続く期間においては、表示部２４には、左右の領域に低輝度映像を有さない横長の映像、つまり図３Ａに例示したような、外部装置１０が表示する映像と同じ映像が表示されている。
【００２９】
ステップＳ１３０では、制御部２３は、拡大映像の表示を行うか否かを外部に問い合わせる。「拡大映像」の意味については後述する。
図４は、当該問い合わせのための選択入力画面２９が表示部２４に表示された例を示している。制御部２３は、選択入力画面２９をＯＳＤ（On Screen Display）表示させる。選択入力画面２９は、例えば「拡大表示を行ないますか？」といったメッセージとともに、「はい」または「いいえ」をユーザーに選択させる画面である。ユーザーは、操作部２６を操作することにより「はい」、「いいえ」のどちらかを選択する。操作部２６は、表示部２４に対する直接的な操作を受け付けるタッチパネルであってもよい。
【００３０】
ステップＳ１４０では、制御部２３は、選択入力画面２９の表示後、前記「はい」の選択（拡大映像の表示の指示）を受け付けた場合には、拡大映像の表示をすべくステップＳ１５０へ進み、一方、前記「いいえ」の選択を受け付けた場合には、「通常表示」をすべくステップＳ１８０へ進む。
なお、ステップＳ１３０，Ｓ１４０は、本実施形態（および後述の第二、第三の実施形態）において必須の構成ではない。ステップＳ１２０で“Ｙｅｓ”と判定したタイミング等で、ステップＳ１５０へ進むとしてもよい。
【００３１】
ステップＳ１５０では、制御部２３は、外部装置１０から入力した映像から主映像（前記左右の低輝度映像以外の映像）を切り出す。
ステップＳ１６０では、制御部２３は、前記切り出した主映像の一部をさらに切り出し、かつ拡大する。このように主映像の一部を切り出して拡大した映像が「拡大映像」である。
ステップＳ１７０では、制御部２３は、拡大映像を表示部２４の画面に表示させる。このとき、制御部２３は、拡大映像だけを表示させてもよいし、図５に例示するように、拡大映像と主映像の全体とを同時に表示部２４に表示させてもよい。
【００３２】
図５では、表示部２４の画面内に、拡大映像ＶＥと、主映像ＶＭの全体とを並べて表示している。一例として、表示部２４の画面サイズ（横×縦）が、８００画素×４８０画素である場合、半分以上のサイズ（例えば、６００画素×４８０画素）のエリアを拡大映像ＶＥ用の第１エリアとして設定し、残りのエリア（２００画素×４８０画素）を主映像ＶＭ用の第２エリアとして設定する。制御部２３は、前記ステップＳ１６０では、第１エリアのアスペクト比に対応した映像を主映像から切り出し、当該切り出した映像をステップＳ１７０では第１エリアのサイズに合うように拡大して、拡大映像ＶＥとして表示する。また、制御部２３は、ステップＳ１７０では、主映像ＶＭを第２エリアのサイズに合うように縦横に拡大あるい縮小して、主映像ＶＭの全体を第２エリアに表示する。
【００３３】
制御部２３は、拡大映像ＶＥを、少なくとも主映像ＶＭの中心を含む範囲とする。主映像ＶＭがナビゲーション映像である場合、主映像ＶＭの中心付近には、車両の現在地が表示されることが多いため、このような拡大映像ＶＥによれば、現在地を含む地域を詳細に表示することができる。あるいは、拡大映像ＶＥは、主映像ＶＭの中心を含みつつ、車両の進行方向側の地域を、当該進行方向と逆側の地域よりも多く含む範囲であってもよい。進行方向側の地域の情報をより多く表示することで、ユーザーの利便性を向上させることができる。また、制御部２３は、第１エリアに表示する拡大映像ＶＥについては、スクロールさせることができる。つまり、操作部２６を介して拡大映像ＶＥのスクロールの指示を受けた場合には、当該スクロールの指示（方向や程度）に応じて主映像の一部を切り出して第１エリアに拡大表示する。
【００３４】
なお上述したように、ステップＳ１８０へ進んだ場合には、制御部２３は、通常表示を行う。通常表示とは、外部装置１０から入力した映像を、そのまま（ステップＳ１５０〜Ｓ１７０を実行せずに）表示することを意味する。つまり、車載表示装置２０は、図３Ｂに例示したような左右の映像ＶＬ，ＶＲを含む映像Ｖを外部装置１０から受信した場合は、そのような映像Ｖを表示部２４に表示させる。通常表示では、主映像の全体が表示される。
【００３５】
このように本実施形態によれば、車載表示装置２０は、外部装置１０から入力する映像が左右の領域に一定以下の低輝度映像を含むもの、つまり縦向き（縦長）の主映像の左右に黒色の映像を付加したものである場合、主映像の一部を拡大した拡大映像を画面に表示させる。そのため、車載表示装置２０の表示部２４の画面サイズを十分活用して、主映像の主要な部分をユーザーに視認させることができる。また、本実施形態によれば、ユーザー（車両のドライバー）は、図３Ｂに示したような、表示部２４に表示される映像（主映像）が縦向きでかつ小さい状態を解消するために車両の走行中に外部装置１０の向きを直す必要が無いため、ユーザーの安全が守られる。
【００３６】
２．第二の実施形態
図６は、第二の実施形態において車載表示装置２０（特に制御部２３）が所定のプログラムに従って実行する表示制御処理をフローチャートにより示している。ただし、図６は、図２（第一の実施形態）と比較したとき、ステップＳ１２２，Ｓ１２４が追加されている点以外は同じである。そのため以下では、ステップＳ１２２，Ｓ１２４について説明する。
【００３７】
ステップＳ１２２では、制御部２３は、車両における同乗者の有無を示す同乗者信号を、通信部２８を介して取得する。通信部２８は、各ＥＣＵ３０，３０，３０…と通信することにより前記同乗者信号を入力することができ、特許請求の範囲における信号入力部に該当する。例えば、車両には、車両の助手席に人が座っていることを検知するＰＳＤ（Position Sensitive Detector）センサーや助手席のシートベルトの脱着を検知するセンサーを制御するＥＣＵ３０が配設されており、当該ＥＣＵ３０は、これらセンサーの反応に応じて、助手席に同乗者が居ることを示す同乗者信号または助手席に同乗者が居ないことを示す同乗者信号を出力する。通信部２８は、このような同乗者信号を入力し、制御部２３へ通知する。
【００３８】
ステップＳ１２４では、制御部２３は、前記取得した同乗者信号が同乗者無しを示す場合にステップＳ１３０以下へ進み、一方、前記取得した同乗者信号が同乗者有りを示す場合には、映像解析の処理（ステップＳ１１０）へ戻る。つまり、同乗者が居れば車両を運転するユーザーの替わりに当該同乗者が外部装置１０の向きを直して、表示部２４に表示される映像（主映像）が縦向きでかつ小さい状態を解消することができる。そのため、第二の実施形態では、同乗者が居ないことを条件の１つとして、ユーザーに前記問い合わせを行ったり（ステップＳ１３０，Ｓ１４０）、拡大映像ＶＥの表示を行なったりする（ステップＳ１５０，Ｓ１６０，Ｓ１７０）。
【００３９】
同乗者とは、基本的には助手席に座る人を言う。ただし、制御部２３は、車両において後部座席を含めて運転席以外のいずれかの座席に人が居れば（いずれかの座席に人が居ることを、通信部２８と車両内の各ＥＣＵ３０との通信の結果から認識することができれば）、同乗者有りと判定してもよい。また、制御部２３は、同乗者が大人か子供かによって処理を分岐するとしてもよい。つまり、同乗者が居たとしても、それが子供であれば、外部装置１０を的確に操作できない可能性があり、また危険性も考慮して、同乗者無しと判定する（ステップＳ１２４）。なお、同乗者が大人か子供かの判定は、例えば、車両の座席に内蔵されたＰＳＤセンサーの一種である、同乗者の座高を検知する座高センサーからの出力を、ＥＣＵ３０や通信部２８を通じて取得することで判定できる。つまり、座高センサーの出力が大人の座高に相等する値を示していれば、同乗者は大人である（同乗者有り）と判定し、座高センサーの出力が子供の座高に相等する値を示していれば、同乗者は子供である（同乗者無し）と判定する。
【００４０】
３．第三の実施形態
図７は、第三の実施形態において車載表示装置２０（特に制御部２３）が所定のプログラムに従って実行する表示制御処理をフローチャートにより示している。ただし第三の実施形態では、図７を用いて、図２（第一の実施形態）および図３（第二の実施形態）におけるステップＳ１７０の後の処理について説明する。
【００４１】
ステップＳ１７２，Ｓ１７４は、ステップＳ１１０，Ｓ１２０（図２，６）と同様であり、制御部２３は、外部装置１０から順次入力される映像（フレーム）を対象として処理を行なう。制御部２３は、ステップＳ１７４において“Ｙｅｓ”と判定すると、つまり、左右に低輝度映像を付した全体として横長の映像が外部装置１０から入力されている場合には、ステップＳ１７６へ進む。このとき、制御部２３は、拡大映像を表示部２４に表示させている状態である。
【００４２】
ステップＳ１７６では、制御部２３は、外部装置１０から入力される映像の所定時間あたりの変化度合いが所定のしきい値以上となったか否かを判定する。概念的には、外部装置１０から入力される映像にある程度の大きな変化があったか否かを判定する。ここで言う大きな変化とは、例えば、ナビゲーション画面であれば、それまで地図表示をしていた１画面表示から、交差点や高速道路のインターチェンジ等に差し掛かったことをドライバーに注意喚起するための別画面が出現して２画面表示となった場合等が想定される。制御部２３は、例えば、入力される映像における主映像に注目し、フレームとフレームとの間で輝度の変化が所定値以上となった画素の数が予め定めたしきい値以上となった場合に、所定時間あたりの変化度合いが所定のしきい値以上となった、つまり入力される映像に大きな変化があったと判定し、ステップＳ１８０（通常表示）へ進む。一方、入力される映像に大きな変化があったと判定できない場合は、ステップＳ１７２に戻る。
【００４３】
このようにステップＳ１８０へ進むことで、図８に示すように、表示部２４では、それまでの拡大映像ＶＥを含む表示態様（図８Ａ）を止めて、通常表示の態様（主映像ＶＭの左右に低輝度映像が付された、主映像ＶＭの全体を表示する態様。図８Ｂ。）へ切替える。なお、図８Ｂの主映像ＶＭは、第２画面映像ＶＮを含んでいる。第２画面映像ＶＮは、ステップＳ１７６で映像に大きな変化があったと判定することとなった原因の映像であり、例えば、“１５０メートル先で右折すること”をドライバーに注意喚起するための映像である。
【００４４】
ステップＳ１８０の後のステップＳ１９０では、制御部２３は、外部装置１０から入力される映像の所定時間あたりの変化度合いが所定のしきい値以上となったか否かを判定する。ここでの判定方法は、基本的にはステップＳ１７６と同じである。つまり、外部装置１０から入力される映像に再び大きな変化があった場合には、例えば、上述したような第２画面映像ＶＮが消え、主映像ＶＭは再び地図表示としての１画面に戻ったと考えられる。そこで、制御部２３は、外部装置１０から入力される映像の所定時間あたりの変化度合いが所定のしきい値以上となった、つまり入力される映像に大きな変化があったと判定した場合に、ステップＳ１５０へ戻り、一方、入力される映像に大きな変化があったと判定できない場合は、ステップＳ１８０を継続する。当該ステップＳ１９０の判定からステップＳ１５０に戻ると、通常表示の態様（図８Ｂ）から、再び、拡大映像ＶＥを含む表示態様（図８Ｃ）へ、表示部２４における表示が切り替る。
【００４５】
なお、ステップＳ１７６やステップＳ１９０における判定では、外部装置１０から入力される音声をさらに参照するとしてもよい。上述したような第２画面映像ＶＮが主映像ＶＭの一部として出現する場合には、ほぼ同じタイミングで第２画面映像ＶＮを案内するための音声が外部装置１０によって出力されることが多い。例えば、図８Ｂに示した第２画面映像ＶＮであれば、“１５０メートル先、右折です”等といった音声案内を伴う。このような音声は、音声入力部２２を介して入力される。そこで、制御部２３は、ステップＳ１７６では、外部装置１０から入力された音声を解析し、ナビゲーション映像に関わる特定の音声入力であることを追加の条件として、“Ｙｅｓ”と判定しステップＳ１８０へ進む。また、制御部２３は、ステップＳ１９０では、このような特定の音声入力が途絶えてから所定秒（例えば１０秒）以上経過したことを追加の条件として、“Ｙｅｓ”と判定しステップＳ１５０へ進む。
【００４６】
図９は、上述したように外部装置１０から入力される映像に大きな変化があったにもかかわらず、拡大映像ＶＥを表示部２４に表示させ続けた場合を例示している。この場合、主映像ＶＭの一部を切り出して拡大している拡大映像ＶＥにも、主映像ＶＭに含まれる第２画面映像ＶＮの一部が含まれ得る。しかし、このような拡大映像ＶＥに含まれた第２画面映像ＶＮの一部は、拡大されているが故に全体像が把握しずらく、また美観を損ね、ユーザーにとって価値の低い表示となっている。第三の実施形態では、このように第２画面映像ＶＮの一部が拡大映像ＶＥ内で中途半端に表示されることを防ぎ、第２画面映像ＶＮの全体を正確にユーザーに提示するために、ステップＳ１８０において一時的に通常表示に切替える（図８Ｂ）ようにしている。
【符号の説明】
【００４７】
１０…外部装置、２０…車載表示装置、２１…映像入力部、２２…音声入力部、２３…制御部、２４…表示部、２５…音声出力部、２６…操作部、２７…記憶部、２８…通信部、２９…選択入力画面、３０…ＥＣＵ、ＶＥ…拡大映像、ＶＭ…主映像、ＶＬ，ＶＲ…映像（低輝度映像）、ＶＮ…第２画面映像
【図１】
2015114576.tif 000003
【図２】
2015114576.tif 000004
【図５】
2015114576.tif 000005
【図６】
2015114576.tif 000006
【図７】
2015114576.tif 000007
【図９】
2015114576.tif 000008
【図３】
2015114576.tif 000009
【図４】
2015114576.tif 000010
【図８】
2015114576.tif 000011